(57)【要約】無線通信ランドスケープ１００において加入者装置によってＴＤＭＡチャネルを走査する方法およびシステムを開示する。加入者装置は加入者装置へ予めプログラムされているチャネルを追跡する。基地無線機は加入者装置へ制御メッセージを送信する。制御メッセージによって、チャネル上に存在するアクティビティを加入者装置へ通知する。加入者装置は制御メッセージを受信し、復号して、アクティビティがチャネル上に存在するか否かを判定する。アクティビティがチャネル上に存在する場合、加入者装置はアクティビティが関心となるアクティビティであるか否かを判定する。アクティビティが関心となるアクティビティである場合、加入者装置はチャネルの上に留まり、チャネル上に存在するアクティビティを受信する。
2008507939.tif 000002
【特許請求の範囲】
【請求項１】
無線通信ランドスケープ１００において、複数のチャネルを通じて１つ以上の基地無線機に接続されて動作する加入者装置によって、ＴＤＭＡチャネルを走査するための方法であって、
加入者装置によって、複数のチャネルのうちの１つのチャネルを追跡する工程と、複数のチャネルのサブセットは加入者装置中のリストへ予めプログラムされていることと、
１つ以上の基地無線機から加入者装置へ制御メッセージを送信する工程と、制御メッセージは複数のチャネルのうちの同１つのチャネル上に存在するアクティビティを加入者装置へ通知する第１の情報を有することと、
加入者装置によって、第１の情報について制御メッセージを受信し、復号する工程と、
アクティビティが複数のチャネルのうちの同１つのチャネル上に存在することを第１の情報が示す場合、
制御メッセージの第２の情報を加入者装置へ予めプログラムされている第３の情報と比較することによって、アクティビティが加入者装置の関心となるか否かを判定する工程と、
アクティビティが加入者装置の関心となる場合、複数のチャネルのうちの同１つのチャネル上に留まり、同１つのチャネル上に存在するアクティビティを受信する工程と、からなる方法。
【請求項２】
アクティビティが関心となる場合、前記１つのチャネル上に存在するアクティビティのオーディオを加入者装置のユーザへ提供する工程を含む請求項１に記載の方法。
【請求項３】
アクティビティが音声伝送およびデータ伝送のうちのいずれであるかを判定する工程を含む請求項１に記載の方法。
【請求項４】
加入者装置へ予めプログラムされているリスト中の次のチャネルへ調整する工程を含む請求項１に記載の方法。
【請求項５】
アクティビティが加入者装置を対象としていることを制御メッセージが示す場合、アクティビティは関心となることを含む請求項１に記載の方法。
【請求項６】
第２の情報は、識別、音声、データ、グループ、個別、緊急および非緊急からなる群から選択されるアクティビティの特性を示す請求項５に記載の方法。
【請求項７】
アクティビティが音声伝送である場合、
識別情報用のリンク制御メッセージを回復し、復号する工程と、
識別情報を加入者装置へ予めプログラムされている第４の情報と比較することによってリンク制御メッセージが加入者装置の関心となるかを判定し、リンク制御メッセージが関心となる場合、前記１つのチャネル上に留まり前記１つのチャネル上に存在するアクティビティを受信する工程と、
アクティビティがデータ伝送である場合、
データメッセージおよびデータ終端子を回復する工程と、
データ終端子を復号してアドレス識別を識別する工程と、
アドレス識別を加入者装置へ予めプログラムされている第５の情報と比較することによってデータメッセージが加入者装置の関心となるかを判定し、データメッセージが関心となる場合、前記１つのチャネル上に留まりデータメッセージをさらに処理する工程と、を含む請求項６に記載の方法。
【請求項８】
アクティビティが加入者装置用を対象としていないことを制御メッセージが示す場合にも、アクティビティは関心となることを含む請求項１に記載の方法。
【請求項９】
第２の情報は、アクティビティが音声、データ、グループ、個別、緊急および非緊急のうちのいずれであるかを示す請求項１に記載の方法。
【請求項１０】
複数の加入者装置および複数の基地無線機を含むＴＤＭＡシステムにおける走査のための方法であって、
加入者装置のリストへ予めプログラムされているチャネルを追跡する工程と、チャネルはＴＤＭＡシステムの１つのタイムスロット上のアクティビティを搬送することと、
複数の基地無線機のうちの１つの基地無線機からアクティビティ更新メッセージを受信する工程と、アクティビティ更新メッセージはチャネル上のアクティビティの１つ以上の特性を示すことと、
同１つ以上の特性を加入者装置へ予めプログラムされている情報と比較することによって、アクティビティが加入者装置の関心となるか否かを判定する工程と、
アクティビティが関心となる場合、チャネル上に留まりアクティビティを受信し、アクティビティが関心とならない場合、リスト中の次のチャネルへ移る工程と、からなる方法。
【発明の詳細な説明】
【技術分野】
【０００１】
本発明は無線通信システムに関する。より詳細には、本発明は時分割多元接続（ＴＤＭＡ）システムにおける走査に関する。
【背景技術】
【０００２】
一般に無線通信システムは、１組の「加入者装置」および１組の「基地無線機」（「リピータ」としても知られる）からなる。通常、加入者装置は通信路の端点である。また、通常、基地無線機は固定であり、加入者装置（ＳＵ）への通信路の確立や維持の可能な手段である。１つのそうしたタイプのシステムは、時分割多元接続（ＴＤＭＡ）通信システムである。ＴＤＭＡ通信システムでは、無線媒体（即ち、ＲＦ周波数）はタイムスロットへ分割され、システムの通信を搬送する。通信システムは一度に多くの通信を搬送するため、加入者装置はシステムにおける他の通信の監視を所望する場合がある。走査は、加入者装置がシステムにおける他の通信を監視することを可能とする機能である。
【０００３】
無線通信システムのＳＵは「走査」と呼ばれる機能を利用する。この機能では、ＳＵはＳＵへ予めプログラムされているリスト中の特定のＲＦ周波数を追跡する。走査リスト中のＲＦ周波数は、１より多くの無線通信システムと関連付けられる場合もある。例えば、ＳＵは、そのＳＵの走査リスト中にシャンバーグ（Ｓｃｈａｕｍｂｕｒｇ）の消防署およびローリングメドウズ（Ｒｏｌｌｉｎｇ  Ｍｅａｄｏｗｓ）の消防署のＲＦ周波数を有する。予めプログラムされている走査リストが非常に長く、多くのＲＦ周波数を有する場合、走査機能には長い時間を要する。さらに、普通の場合には、通常、ＲＦ通信の多くは走査するＳＵの関心となるＲＦ通信ではなく、走査ＳＵはその走査ＳＵの関心とはならない通信を聴取することに多くの時間を費やす。このことは、例えば、予めプログラムされている走査リスト中にＲＦ周波数が含まれているが、走査ＳＵの関心とならないＳＵまたはＳＵのグループへ現在の通信がアドレッシングされているときに発生する。
【０００４】
したがって、ＳＵが走査中に費やす時間の量を改良する、ＴＤＭＡチャネルの走査の必要が存在する。
【発明を実施するための最良の形態】
【０００５】
ここで図１を参照する。図１には、システム１１０、システム１２０およびシステム１３０を含む典型的な無線通信ランドスケープ１００に組み込まれ、用いられ得る、本発明の方法および装置の一実施例を示す。示した実施例は、多様なＲＦ周波数からなる通信資源、基地無線機（ＢＲ）および加入者装置（ＳＵ）から構成される３つのシステム１１０，１２０，１３０を含む。随意では、加入者装置はシステムコントローラ（図示せず）によって管理され、ＢＲ（「リピータ」としても知られる）との通信の送受信を行なう。
【０００６】
システム１１０は複数のセルと、複数のＳＵ  １２，１４，１６，１８，２０，２２とを含む。典型的には、セルの中央に各々ＢＲ  ３，５，７，９，１１，１３が配置されている。複数のＳＵ  １２，１４，１６，１８，２０，２２は全て、システム１１０へ割り当てられたＲＦ周波数で通信を行なう。システム１１０のＳＵ  １２，１４，１６，１８，２０，２２は、それらのＳＵの予めプログラムされている走査リストに、システム１１０のＢＲ  ３，５，７，９，１１，１３に関連付けられている全てのＲＦ周波数を含んでよい。システム１２０は複数のセルと、複数のＳＵ  ３４，３６，３８とを含む。典型的には、セルの中央には各々ＢＲ  ２６，２８，３０が配置されている。複数のＳＵ  ３４，３６，３８は全て、システム１２０へ割り当てられたＲＦ周波数で通信を行なう。システム１２０のＳＵ  ３４，３６，３８は、それらのＳＵの予めプログラムされている走査リストに、ＢＲ  ２６，２８，３０に関連付けられている全てのＲＦ周波数を含んでよい。さらに、ＳＵ  ３６は、３つのシステム１１０，１２０，１３０の全てに充分に近いため、システム１１０のＢＲとシステム１３０のＢＲとに関連付けられているＲＦ周波数を含んでよい。システム１３０は、ＢＲ  ２４を備えるセルと、ＳＵ  ３２，４０とを含む。これらは全て、システム１３０へ割り当てられているＲＦ周波数で通信を行なう。さらに、ＢＲ  ３，１３，２４，２８は大きな地理的距離によって隔てられているため、これらのＢＲは全て、同じＲＦ周波数上で動作してよいが、異なる色符号を用いる。
【０００７】
好適には、ＢＲは、無線通信ランドスケープ１００においてＳＵ間の通信を行なうため、ＳＵとの間でデータ／制御および音声の情報を通信するための固定設備を含む。好適には、加入者装置（ＳＵ）は、本明細書にさらに記載するように、特定の時間セグメントが個々の通信用の割当タイムスロットへ分割される時分割多元接続（ＴＤＭＡ）もしくは時分割複信（ＴＤＤ）手法を用いてＢＲと通信することの可能な、移動体または携帯のデバイス（車載もしくはハンドヘルド型の無線機または無線電話機など）を含む。当該技術分野において知られているように、システムの各ＲＦ周波数がタイムスロットを搬送する。各タイムスロットは「チャネル」として知られている。したがって、図１に示すＢＲについて、各ＢＲはカバレッジエリアに関連付けられている２つのチャネルを有する。
【０００８】
本発明の例示の一実施形態では、無線通信ランドスケープ１００は２スロットＴＤＭＡ通信システムであると仮定する。しかしながら、ＴＤＭＡ通信システムにおいて他のスロット比が用いられてもよく、その場合にも依然として本発明の精神および範囲のうちにある。例示の一実施形態では、ＳＵは共通アナウンスチャネル（ＣＡＣＨ）バーストにおいてＴＤＭＡチャネルフィールドを復号することによって、タイムスロット番号を判定する。これによって、ＣＡＣＨバーストは無線通信ランドスケープ１００において情報を信号で送るために用いられる。例示の２スロットＴＤＭＡ通信システムの実施形態では、タイムスロット１およびタイムスロット２に対するＣＡＣＨバーストは共通である。
【０００９】
当該技術分野において知られているように、「色符号」は、同じＢＲを利用するＳＵのグループによって用いられる共通の識別子である。例えば、図１に示すように、ＳＵ  １２，１４，２２は同じＢＲ、即ちＢＲ  ９を利用するので、それらのＳＵの色符号は１つである。さらに、同一チャネル干渉を受けないように無線ネットワークまたは特定のリピータをアドレッシングする手段を提供するために、埋込シグナリングメッセージおよび一般データバーストに色符号フィールドが存在してもよい。さらに、当該技術分野において知られているように、「トークグループ」は、ＲＦ周波数およびタイムスロットを共有し、同じ色符号を有するＳＵのグループである。例示の一実施形態では、トークグループは１６ビットのトークグループ識別子（ＴＧＩＤ）によって識別され、個別の加入者装置は２４ビットの加入者装置識別子（ＳＵＩＤ）によって識別される。したがって、例示の一実施形態では、１つのトークグループのＳＵが別のトークグループのＳＵを聴取しないように、色符号を共有するＳＵはさらにトークグループへ分割される。
【００１０】
本明細書では、用語「通信」および「伝送」は交換可能に用いられ、１つのタイムスロットの１つの無線機から発する連続的なＴＤＭＡバーストを表す。したがって、伝送は、無線通信ランドスケープ１００に関する音声、データまたは制御の情報を総称的に表してよい。用語「呼」は、無線通信ランドスケープ１００におけるＳＵ間の関連する音声伝送を表す。
【００１１】
当該技術分野において知られているように、用語「バースト」はＴＤＭＡ伝送の最小独立単位を表す。例示の一実施形態では、モトローラ低層デジタルシステムにおいて見出されるバーストにおいて、定義された伝送は２１６ビットのペイロードと、４８ビットの同期または埋込シグナリングとである。定義された伝送の送信には２７．５ミリ秒を要し、２．５ミリ秒のガードタイムまたはＣＡＣＨバーストが続く場合がある。したがって、そうしたモトローラ低層デジタルシステムにおける「バースト」は、３０ミリ秒である。
【００１２】
例示の一実施形態では、走査は３つの状況のうちの１つ以上において実行される。即ち、１）ＳＵが起動し、ＳＵへ予めプログラムされているリストにセットされている順に、受信機が自動的に「チャネル」を変更するとき、２）ＳＵのユーザが手動でボタンを軽く叩くかまたは手動でダイヤルを回し、ＳＵへ予めプログラムされている周波数を進めるとき、３）ＳＵのユーザがＳＵを走査モードにセットし、ＳＵへ予めプログラムされているリストにセットされている順に、受信機が自動的に周波数を変更するとき、である。
【００１３】
さらに、ＳＵの実行する異なるタイプの走査が存在してもよい。ＳＵは、アクティブな伝送が音声、データ、グループ、個別、緊急および非緊急のいずれであるかなど、アクティブな伝送の特性に基づき走査を実行するようにプログラムされていてもよい。例えば、走査ＳＵは、音声伝送のみを搬送するチャネルを走査するようにプログラムされていてもよい。さらに、走査ＳＵは、データ伝送のみを搬送するチャネルを走査するようにプログラムされていてもよい。さらにまた、走査ＳＵは、トークグループをアドレッシングしている音声伝送ではなく、個別のＳＵに対しアドレッシングされている音声伝送を搬送するチャネルを走査するようにプログラムされていてもよい。さらにまた、走査ＳＵは、トークグループをアドレッシングしているデータ伝送ではなく、個別のＳＵに対しアドレッシングされているデータ伝送を搬送するチャネルを走査するようにプログラムされていてもよい。別の例では、走査ＳＵは、アクティブな伝送が関連付けられているグループにかかわらず、任意の緊急伝送を搬送するチャネルを走査するようにプログラムされていてもよい。さらに別の例では、走査ＳＵは、アクティブ伝送が関連付けられているグループにかかわらず、非緊急伝送のみを搬送するチャネルを走査するようにプログラムされていてもよい。想像され得るように、特性値を組み合わせて特定のアクティブ伝送のみを探索するように走査ＳＵをプログラムする多数の例が存在するので、上に挙げた例は単なる例示であって、網羅的なものではない。
【００１４】
図２を参照すると、動作時には、ＳＵは、走査ＳＵへ予めプログラムされている走査リスト中に記載されている特定のチャネルへ調整することによって、走査機能を実行する（ブロック２０２）。当該技術分野において知られているように、チャネルは「個性」としても知られている。典型的には、個性は追加の認可情報を有する無線周波数（ＲＦ）である。走査ＳＵは特定期間に渡り、選択された個性上で休止し、ＲＦキャリアが検出されるか否かをテストする（ブロック２０４）。一実施形態では、音声伝送のみを走査するようにプログラムされている走査ＳＵは、続ける前に２５ミリ秒間、休止する。
【００１５】
当該技術分野において知られているように、特定期間は、アナログ音声、ＦＤＭＡデジタルおよびＴＤＭＡデジタルなど、走査ＳＵが受信すると期待される信号のタイプに依存する。さらに、特定期間は実行されている走査のタイプに依存してもよい。上述のように、走査のタイプは、アクティブ伝送が音声、データ、グループ、個別、緊急および非緊急のいずれであるかなど、アクティブ伝送の特性に依存してもよい。例えば、データ伝送のみを搬送するチャネルを走査するようにプログラムされている場合、走査ＳＵは続ける前に６５ミリ秒間、待機し得る。
【００１６】
ＲＦキャリアが存在する場合、走査ＳＵは選択した個性の上に留まり、同期を実行する（ブロック２０６）。例示の一実施形態では、ＢＲとＳＵとの間の同期の実行は、タイムスロット同期信号を検出するために所定の期間、待機することを含む。タイムスロット同期信号は、４８ビット（２４シンボルとしても知られる）のフレーム同期ワードである。走査ＳＵの受信機がＴＤＭＡチャネル上の伝送を受信することが可能であるように、タイムスロット同期信号はＴＤＭＡバーストの中心と、ＴＤＭＡチャネル上に存在する通信のタイプとを識別する。所定期間内にタイムスロット同期信号が検出されると、同期の実行は完了する。一実施形態では、走査ＳＵは、３３５ミリ秒以内にタイムスロット同期信号を受信する必要がある。ＳＵとＢＲとの間の通信が同期しているか、ＳＵがＢＲとＳＵとの間の同期を成功裡に実行することが可能である場合、ＳＵはチャネル上のアクティブ伝送の色符号を判定する（ブロック２０８）。
【００１７】
当該技術分野において知られているように、キャリアが検出されるか否かにかかわらず（ブロック２０２）、フレーム同期メッセージを受信する走査ＳＵは、さらに個性を復号する。したがって、フレーム同期が実行される場合、チャネル上のアクティブ伝送の色符号のマッチが存在するか否かを判定するため、走査ＳＵは追加の時間、個性の上に留まる（ブロック２０８）。色符号のマッチ（ブロック２０８）、フレーム同期（ブロック２０６）およびキャリア検出（ブロック２０４）が存在しない場合、走査ＳＵは予めプログラムされている走査リスト中の次のチャネルへ調整する（ブロック２２０）。
【００１８】
チャネル上のアクティブ伝送の色符号のマッチが存在する場合、走査ＳＵはチャネル上に留まり、「アクティビティ更新」メッセージ３００と呼ばれる特定のＣＡＣＨメッセージを復号する（ブロック２１０）。例示の一実施形態では、アクティビティ更新メッセージ３００は４バーストのＣＡＣＨメッセージであり、チャネル上にアクティブ伝送（「アクティビティ」とも呼ばれる）が存在するか否かを識別するのを補助するために用いられる。アクティビティ更新メッセージ３００は、走査ＳＵがチャネル上に留まるか、走査を再開するかを示す情報を提供する。
【００１９】
図３に示すように、アクティビティ更新メッセージ３００は、チャネルが現在いずれのタイムスロット上で呼または伝送をサポートしているかを示す、各タイムスロットに特有のアクティビティフィールド３０４，３０６を含む。例えば、図３に示すように、１ビットのフィールド３０４は、タイムスロット１が呼または伝送をサポートしているか否かを示し、１ビットのフィールド３０６は、タイムスロット２が呼または伝送をサポートしているか否かを示す。ここで、値「０」はタイムスロットがアクティブでないことを示し、「１」はタイムスロット上のアクティブ伝送を示す。タイムスロット上にアクティブ伝送が存在する場合（ブロック２１１）、走査ＳＵはアクティブ伝送が走査ＳＵの関心となるアクティブ伝送であるか否かを判定する。タイムスロット上にアクティブ伝送が存在しない場合、走査ＳＵは予めプログラムされている走査リスト中の次の個性へ移る（ブロック２２０）。
【００２０】
さらに、アクティブ伝送が存在する場合、アクティビティ更新メッセージ３００は伝送のタイプを識別するために他の情報も有する。図３に示すように、例えば、その伝送は、音声、データ、緊急、トークグループまたは個別の伝送であってよい。図３に示すように、音声またはデータの伝送は１ビットのフィールド３１４，３１８によって信号で送られる。ここで、値「０」はアクティブ伝送が音声伝送であることを示し、「１」はアクティブ伝送がデータ伝送であることを示す。図３に示すように、緊急または非緊急は１ビットのフィールド３１２，３１６によって信号で送られる。ここで、値「０」はアクティブ伝送が非緊急伝送であることを示し、「１」はアクティブ伝送が緊急伝送であることを示す。図３に示すように、グループまたは個別の呼は１ビットのフィールド３２０，３２２によって信号で送られる。ここで、値「０」はアクティブ伝送がトークグループ伝送であることを示し、「１」はアクティブ伝送が個別の伝送であることを示す。
【００２１】
さらに、オペコードフィールド３０２を除き、アクティビティ更新メッセージ３００の残部はデータであると考えられ、音声伝送用の完全なリンク制御（ＬＣ）メッセージおよびデータ伝送用のデータヘッダからの情報によって占められる。例えば、緊急の１ビットのフィールド３１２，３１６、グループの１ビットのフィールド３２０，３２２、アドレス３０８，３１０は、ＬＣメッセージまたはデータヘッダから回復される。
【００２２】
アクティブな伝送が存在する場合、かつ、関心となるＳＵへアドレッシングされている伝送についてアクティブ伝送を検査する（ブロック２２２）ように走査ＳＵがプログラムされている場合、走査ＳＵはアクティブ伝送が関心となるＳＵへアドレッシングされているか否かを判定する。アクティブ伝送が関心となるＳＵへアドレッシングされていない場合、走査ＳＵは、走査ＳＵがアクティブ伝送を受信するようにプログラムされているか否かを検査する（ブロック２２４）。例えば、走査ＳＵは、アクティブ伝送の送信元または宛先の識別（ＩＤ）にかかわらず、全ての緊急呼を受信するようにプログラムされていてもよい。アクティブ伝送が走査ＳＵの関心となる場合、スピーカは消音されず、走査ＳＵのユーザへオーディオが提供される（ブロック２１８）。アクティブ伝送が走査ＳＵの関心とならない場合、走査ＳＵは予めプログラムされている走査リスト中の次の個性へ移る（ブロック２２０）。
【００２３】
さらにまた、アクティブ伝送が存在する場合、アクティビティ更新メッセージ３００はアクティブ伝送のＳＵＩＤまたはＴＧＩＤも識別する。図３に示すように、識別フィールド３０８，３１０は図３に示すような８ビットのハッシュ化されたフィールドである。さらに、アクティビティ更新メッセージ３００には有限数のビットしか存在しないので、ＩＤフィールド３０８，３１０はハッシュ化される。例えば、タイムスロット１上のアクティブ伝送がＳＵ  １６へ宛てられ、ＳＵ  １６が２４ビットのＳＵＩＤによって識別される場合、ＩＤフィールド３０８は８ビットへハッシュ化される。別の実施例は、トークグループのＳＵ、例えば、ＳＵ  １２へ宛てられたタイムスロット２上のアクティブ伝送であり、この場合、トークグループは１６ビットのＴＧＩＤによって識別される。したがって、ＩＤフィールド３１０は１６ビットのＴＧＩＤから８ビットへハッシュ化される。当該技術分野において知られているように、ハッシュ化機能を実行するために用いることの可能な多くのアルゴリズムが存在する。そうした周知の１つのアルゴリズムは、ｇ（ｘ）＝ｘ８＋ｘ２＋ｘ＋１の生成多項式を用いるＣＲＣ−８チェックサムである。図３に示すように、１６ビットのＴＧＩＤまたは２４ビットのＳＵＩＤの入力では、出力は、８ビットのＣＲＣハッシュ化されたＩＤフィールド３０８，３１０である。
【００２４】
当該技術分野において知られているように、アクティビティ更新メッセージ３００はチャネル上のアクティブ伝送の色符号を認識する前に受信されてもよい。いずれの場合にも、走査を停止するか否かを決定するには、チャネル上のアクティブ伝送の色符号を認識することと、その色符号が走査ＳＵの色符号とマッチするか否かを認識することとが重要である。上述のように、色符号のマッチが存在しない場合（ブロック２０８）、走査ＳＵは予めプログラムされている走査リスト中の次のチャネルへ調整する（ブロック２２０）。
【００２５】
アクティビティ更新メッセージ３００のＩＤフィールド３０８，３１０が走査ＳＵのＳＵＩＤまたはＴＧＩＤとマッチする場合（ブロック２１２）、走査ＳＵはアクティブ伝送が音声であるか、データであるかを判定する（ブロック２１３）。
【００２６】
アクティブ伝送がデータである場合（ブロック２２６）、走査ＳＵはチャネル上に留まってデータメッセージを回復し（ブロック２２８）、データ伝送の終了まで待機してデータ終端子を受信する（ブロック２３０）。一代替実施形態では、走査ＳＵはチャネル上に留まり、埋込認可情報を受信する。続いて、アドレッシング識別（または「ＩＤ」）を識別するために、データ終端子が復号される（ブロック２３２）。ＩＤが走査ＳＵの関心となる場合（ブロック２３４）、データメッセージはさらに処理される。ＩＤが走査ＳＵの関心とならない場合、走査ＳＵは予めプログラムされている走査リスト中の次のチャネルへ調整する（ブロック２２０）。続いて、走査ＳＵは、データメッセージにおいて、確認した配信が要求されているか否かを判定する（ブロック２３６）。確認した配信が要求されている場合、データメッセージは全データメッセージが回復されるまで処理される（ブロック２３８）。一実施形態では、全データメッセージの回復は、選択的自動再送要求（ＳＡＲＱ）メッセージをＢＲへ送信することによって実行される。全データメッセージが回復されると、走査ＳＵは予めプログラムされている走査リスト中の次のチャネルへ調整する（ブロック２２０）。確認した配信が要求されていない場合、走査ＳＵは存在し得る冗長な伝送または後続の伝送を、所定の時間、チャネル上で待機する（ブロック２４２）。所定の時間が経過すると、走査ＳＵは予めプログラムされている走査リスト中の次のチャネルへ調整する（ブロック２２０）。
【００２７】
アクティブ伝送が音声である場合（ブロック２２６）、走査ＳＵはチャネル上に留まり、リンク制御（ＬＣ）メッセージを復号することによって、アクティブ伝送の完全なＬＣ認可を実行する。ＬＣメッセージは、アクティブ伝送が個別のＳＵまたはトークグループ、緊急または非緊急、ならびにアクティブ伝送の送信元および宛先のいずれへアドレッシングされているかを識別する（ブロック２１４）。例示の一実施形態では、ＬＣメッセージは７バーストのＣＡＣＨメッセージである。完全なＬＣ認可の実行は、走査ＳＵが関心となるタイムスロット上でＬＣメッセージを待機し、ＬＣメッセージのＩＤフィールドを復号して、アクティブ伝送が走査ＳＵの関心となるか否かを判定することを意味する。例示の無線通信ランドスケープ１００の一実施形態では、３６０ミリ秒に一度しかＬＣメッセージが利用可能でないので、完全なＬＣメッセージの復号を待機する必要があることは、走査ＳＵにとっては時間の浪費である。ＬＣメッセージのＩＤフィールドが走査ＳＵの関心となるＩＤである場合（ブロック２１６）、スピーカは消音されず、走査ＳＵのユーザへオーディオが提供される（ブロック２１８）。ＬＣメッセージのＩＤフィールドが走査ＳＵの関心とならない場合（ブロック２１６）、走査ＳＵは予めプログラムされている走査リスト中の次のチャネルへ調整する（ブロック２２０）。
【００２８】
アクティビティ更新メッセージのＩＤフィールド３０８，３１０が走査ＳＵの関心となるＩＤを含まない場合（ブロック２１２）、走査ＳＵは予めプログラムされている走査リスト中の次のチャネルへ移る。そのような場合、走査ＳＵはＬＣメッセージを待機する必要はない。ＬＣメッセージは３６０ミリ秒に一度しか送信されないので、ＬＣメッセージを待機する必要のないことによって、走査機能中に走査ＳＵの費やす時間が改良される。ＬＣメッセージを待機する必要のないことによって、アクティブ伝送が関心とならないことを走査ＳＵが迅速に判定することが可能であり、走査機能が改良される。
【００２９】
当該技術分野において知られているように、色符号に関連するイベント、アクティビティ更新メッセージ３００およびＬＣメッセージのタイミングは、任意の順で発生してよい。例えば、１）アクティブ伝送の色符号が認識されるか、２）完全なＬＣメッセージが受信されるかより前に、走査ＳＵによってアクティビティ更新メッセージ３００が受信されてもよい。また、１）走査ＳＵによってアクティビティ更新メッセージ３００が受信されるか、２）アクティブ伝送の色符号が認識されるかより前に、完全なＬＣメッセージが受信されてもよい。さらに、図２に示すように、１）走査ＳＵによってアクティビティ更新メッセージ３００が受信されるか、２）完全なＬＣメッセージが受信されるかより前に、アクティブ伝送の色符号が認識されてもよい。
【００３０】
いずれの場合にも、チャネル上に留まって走査ＳＵのユーザへのオーディオを提供するか否かは、受信情報がユーザの関心となるか否かに基づいて判定される。詳細には、色符号と完全なＬＣメッセージとのマッチによって、走査機能は停止され、走査ＳＵのユーザへオーディオが提供される。アクティビティ更新メッセージ３００の色符号およびＩＤフィールド３０８，３１０のマッチによって、走査機能は停止されるが、走査ＳＵのユーザへオーディオを提供する前に、完全なＬＣメッセージのマッチが必要である。
【００３１】
例示の一実施形態では、ＩＤフィールド３０８，３１０のマッチは、アクティブ伝送が走査ＳＵの関心となり得ることを示す。そのような場合、走査ＳＵは、自身がチャネル上に留まり加入者装置のユーザへオーディオを提供することをコミットする前に、チャネル上に留まり、アクティブ伝送のリンク制御（ＬＣ）認可を実行する。これに代えて、ＩＤフィールド３０８，３１０のマッチが存在しない場合、走査ＳＵは走査リスト中の次の個性を用いてスキャンを続行する。
【００３２】
無線通信ランドスケープ１００においてアクティビティ更新メッセージ３００を利用することによって、走査中に費やされる時間が短縮される。例えば、記載の実施形態では、走査ＳＵは平均１５２ミリ秒で、関心とならないアクティブ伝送を識別することが可能である。最悪の場合、走査ＳＵは関心とならないアクティブ伝送を識別するのに３３５ミリ秒を要する。本発明の実施形態を用いない場合、平均的なＴＤＭＡシステムでは、走査ＳＵは平均５１２ミリ秒、最悪の場合では６９５ミリ秒で、関心とならないアクティブ伝送を識別することが可能であることが、実験で示されている。さらに、本発明の実施形態を用いない場合、平均的なＦＤＭＡシステムでは、走査ＳＵは平均３６０ミリ秒、最悪の場合では５４０ミリ秒で、関心とならないアクティブ伝送を識別することが可能であることが、実験で示されている。
【００３３】
さらにまた、無線通信ランドスケープ１００においてアクティビティ更新メッセージ３００を利用することによって、呼の参加者であるＳＵは、ＳＵが現在その呼の参加者でない場合、迅速にその呼に参加し得る。そうしたＳＵは遅れエントリＳＵと呼ばれる。例えば、記載の実施形態では、遅れエントリＳＵは最小１２０ミリ秒で呼に参加する。最悪の場合、遅れエントリＳＵは約３００ミリ秒で参加する。本発明の実施形態を用いない場合、遅れエントリＳＵは呼に参加するのに約３６０ミリ秒、最悪の場合では約７２０ミリ秒を要することが、実験で示されている。
【図面の簡単な説明】
【００３４】
【図１】本発明の一実施形態による代表的な一無線通信ランドスケープのブロック図。
【図２Ａ】音声伝送用チャネル接続を提供するための代表的な一方法のフローチャート。
【図２Ｂ】音声伝送用チャネル接続を提供するための代表的な一方法のフローチャート。
【図３】アクティビティ更新と呼ばれる特定の共通アナウンスチャネルメッセージの一例の図。
【図１】
2008507939.tif 000003
【図２Ａ】
2008507939.tif 000004
【図２Ｂ】
2008507939.tif 000005
【図３】
2008507939.tif 000006
【国際調査報告】
2008507939.tif 000007